【手続補正書】
【提出日】平成18年6月21日(2006.6.21)
【手続補正１】
【補正対象書類名】明細書
【補正対象項目名】発明の名称
【補正方法】変更
【補正の内容】
【発明の名称】記憶システム
【手続補正２】
【補正対象書類名】明細書
【補正対象項目名】特許請求の範囲
【補正方法】変更
【補正の内容】
【特許請求の範囲】
【請求項１】
記憶システムであって、
ホストコンピュータに接続され、該ホストコンピュータから送信されたデータを複数の記憶領域に転送するように制御する第１のコントローラと、
前記第１のコントローラに接続され、前記第１のコントローラから前記記憶領域にデータを転送するために使用される複数のデータ線と、
前記複数のデータ線に接続され、かつ前記記憶領域を有する複数のディスクドライブユニットと
を備え、
前記第１コントローラは、前記データ線のうちの第２のデータ線を介してコマンドを転送した後に前記データシステムに障害が生じた場合に、前記データ線のうちの第１のデータ線を介してデータを転送すると共に、該第２のデータ線を介してコマンドを転送し、
前記コマンドは、前記障害部位を検出するために使用される
ことを特徴とする記憶システム。
【請求項２】
記憶システムであって、
ホストコンピュータに接続され、該ホストコンピュータから送信されたデータを複数の記憶領域に転送するように制御する第１のコントローラと、
前記第１のコントローラに接続され、前記第１のコントローラから前記記憶領域にデータを転送するために使用される複数のデータ線と、
前記複数のデータ線に接続され、かつ前記記憶領域を有する複数のディスクドライブユニットと
を備え、
前記第１コントローラは、前記データ線のうちの第２のデータ線を介してデータを転送した後に前記データシステムに障害が生じた場合に、前記データ線のうちの第１のデータ線を介してデータを転送すると共に、該第２のデータ線を介してコマンドを転送し、
前記コマンドは、前記障害部位を特定するために使用され、
前記ホストコンピュータは、ライトコマンドを前記第１のコントローラに送信し、かつ、前記障害の発生から前記障害部位を特定するまでの間に、前記ライトコマンドに応じた処理の完了の確認を受信することができる
ことを特徴とする記憶システム。
【請求項３】
前記第１のコントローラに接続され、前記記憶システムに関連する情報を表示する表示部を備え、
前記表示部は、前記障害部位を表示する
ことを特徴とする請求項２に記載の記憶システム。
【請求項４】
前記第１のコントローラは、前記第１のデータ線を介して前記記憶領域にデータを書き込み、前記第２のデータ線を複数の部分に分割するように制御し、かつ、前記コマンドを前記第２のデータ線の部分のうちの一つに転送し、
前記第２のデータ線が分割された後に、前記障害部位を特定する
ことを特徴とする請求項２に記載の記憶システム。
【請求項５】
前記複数のディスクドライブユニットのうちの一つ以上の第１のディスクドライブユニットと、前記第２のデータ線の第１の部分とを有し、かつ前記第１のディスクドライブユニットに接続されている第１の筐体と、
前記複数のディスクドライブユニットのうちの一つ以上の第２のディスクドライブユニットと、前記第２のデータ線の第２の部分を有し、かつ前記第２のディスクドライブユニットに接続されている第２の筐体と、
前記第１のコントローラを有し、前記第１のデータ線及び前記第２のデータ線に接続されている複数のコントローラと
をさらに備え、
前記第１のコントローラは、前記第１のデータ線を介してライトデータを転送し、前記第２のデータ線の第２の部分を前記第２のデータ線の第１の部分から切り離すように制御し、かつ、前記第２のデータ線の第１の部分を介して前記コマンドを転送し、
前記第２のデータ線の第２の部分が切り離された後に、前記障害部位を特定する
ことを特徴とする請求項２に記載の記憶システム。
【請求項６】
前記障害部位が前記第２のデータ線上にある場合に、前記第１のデータ線を、１つ以上の前記ディスクドライブユニットに対してデータの読み出し又は書き込みを行うために使用し、
前記障害の領域が前記第２のデータ線上にない場合に、前記第２のデータ線を、前記１つ以上のディスクドライブユニットに対してデータの読み出し又は書き込みを行うために使用する
ことを特徴とする請求項２に記載の記憶システム。
【請求項７】
前記コマンドは、前記第２のデータ線上を移動する
ことを特徴とする請求項２に記載の記憶システム。
【請求項８】
前記コマンドは、前記第２のデータ線に前記障害がない場合に、前記第２のデータ線に接続された１つ以上のディスクドライブユニットによって中継される
ことを特徴とする請求項２に記載の記憶システム。
【請求項９】
前記コマンドは、前記第２のデータ線を初期化するために使用されるコマンドである
ことを特徴とする請求項２に記載の記憶システム。
【請求項１０】
前記コマンドは、ＬＩＰ（Loop Initialization Primitive）コマンドである
ことを特徴とする請求項２に記載の記憶システム。
【請求項１１】
前記第２のデータ線は、ＦＣ−ＡＬ（Fibre Channel Arbitrated Loop）である
ことを特徴とする請求項２に記載の記憶システム。
【請求項１２】
前記障害部位は、前記第２のデータ線と、前記複数のディスクドライブユニットのうちの一つとの間に位置する
ことを特徴とする請求項２に記載の記憶システム。
【請求項１３】
前記障害の領域が前記複数のディスクドライブユニットのうちの一つの中にある
ことを特徴とする請求項２に記載の記憶システム。
【請求項１４】
前記複数のディスクドライブユニットのうちの１つ以上の第１のディスクドライブユニットと、前記複数のデータ線のうちの第１の部分とを有する第１の筐体と、
前記複数のディスクドライブユニットのうちの１つ以上の第２のディスクドライブユニットと、前記複数のデータ線のうちの第２の部分とを有する第２の筐体と
をさらに備え、
前記障害部位が、前記第１の筐体及び前記第２の筐体のうちの１つの中にある
ことを特徴とする請求項２に記載の記憶システム。
【請求項１５】
前記第１のデータ線が第２のコントローラに接続され、
前記第２のデータ線が前記第１のコントローラに接続され、
前記第１のコントローラは、前記第２のデータ線を介した前記コマンドの転送を制御する
ことを特徴とする請求項２に記載の記憶システム。
【請求項１６】
前記複数のディスクドライブユニットは、それぞれ前記第１のデータ線及び前記第２のデータ線に接続された
ことを特徴とする請求項２に記載の記憶システム。
【請求項１７】
前記複数のディスクドライブユニットのうちの１つ以上の第１のディスクドライブユニットを有する第１の筐体と、
前記複数のディスクドライブユニットのうちの１つ以上の第２のディスクドライブを有する第２の筐体と
をさらに備え、
前記第１のコントローラが前記第２のデータ線及び前記複数のデータ線のうちの第３のデータ線に接続され、
第２のコントローラが前記第１のデータ線及び複数のデータ線のうちの第４のデータ線に接続され、
前記第１のディスクドライブユニットが前記第１のデータ線及び第２のデータ線に接続され、
前記第２のディスクドライブユニットが前記第３のデータ線及び前記第４のデータ線に接続された
ことを特徴とする請求項２に記載の記憶システム。
【請求項１８】
前記複数のディスクドライブユニットのうち、一つ以上の第１のディスクドライブユニットと一つ以上の第２のディスクドライブユニットとを有する第１の筐体と、
前記複数のディスクドライブユニットのうち、一つ以上の第３のディスクドライブユニットと一つ以上の第４のディスクドライブユニットとを有する第２の筐体と
をさらに備え、
前記第１のコントローラが前記第２のデータ線及び前記複数のデータ線のうちの第３のデータ線に接続され、
第２のコントローラが前記第１のデータ線及び前記複数のデータ線のうちの第４のデータ線に接続され、
前記第１のディスクドライブユニットが前記第1のデータ線及び前記第２のデータ線に接続され、
前記第２のディスクドライブユニットが前記第３のデータ線及び前記第４のデータ線に接続され、
前記第３のディスクドライブユニットが前記第１のデータ線及び前記第２のデータ線に接続され、
前記第４のディスクドライブユニットが前記第３のデータ線及び前記第４のデータ線に接続された
ことを特徴とする請求項２に記載の記憶システム。
【請求項１９】
記憶システムであって、
ホストコンピュータに接続され、該ホストコンピュータから送信されたデータを複数の記憶領域に転送するように制御する１つ以上のコントローラと、
前記コントローラに接続され、前記コントローラから前記記憶領域にデータを転送するために使用される複数のデータ線と、
前記複数のデータ線に接続され、前記記憶領域を有する複数のディスクドライブユニットと、
前記コントローラに接続され、前記記憶システムに関連する情報を表示する表示部と
を備え、
前記複数のデータ線のうちの第２のデータ線を介してデータを転送した後に前記記憶システムに障害が生じた場合に、前記コントローラのうちの第１のコントローラは、前記第２のデータ線を介してコマンドを転送し、前記複数のデータ線のうちの第１のデータ線を介してデータを転送し、
前記コマンドは、前記第２のデータ線上を移動し、
前記表示部は、前記障害部位を表示し、
前記ホストコンピュータは、前記第１のコントローラにライトコマンドを送信し、前記障害の発生から前記障害部位の表示までの間に、前記ライトコマンドに応じた処理の確認を受信する
ことを特徴とする記憶システム。
【請求項２０】
記憶システムであって、
ホストコンピュータに接続され、該ホストコンピュータから送信されたデータを複数の記憶領域に転送するように制御する第１のコントローラと、
前記第１のコントローラに接続され、前記第１のコントローラから前記記憶領域にデータを転送するために使用される複数のデータ線と、
前記複数のデータ線に接続され、前記記憶領域を有する複数のディスクドライブユニットと、
前記第１のコントローラに接続され、前記記憶システムに関連する情報を表示する表示部と
を備え、
前記複数のデータ線のうちの第２のデータ線を介してデータを転送した後に前記記憶システムに障害が発生した場合に、前記第１のコントローラは、前記第２のデータ線を介してコマンドを転送し、
前記コマンドは、前記第２のデータ線を初期化するために使用され、
前記表示部は、前記障害部位を表示し、
前記ホストコンピュータは、前記第１のコントローラにライトコマンドを送信し、かつ、前記障害の発生から前記障害部位の表示までの間に、前記ライトコマンドに応じた処理の完了の確認を受信する
ことを特徴とする記憶システム。
【請求項２１】
記憶システムであって、
ホストコンピュータに接続され、該ホストコンピュータから送信されたデータを複数の記憶領域に転送するように制御する複数のコントローラと、
前記コントローラに接続され、データを前記コントローラから前記記憶領域に転送するために使用される複数のデータ線と、
前記複数のデータ線に接続され、前記記憶領域を有する複数のディスクドライブユニットと
を備え、
前記複数のデータ線のうちの第２のデータ線を介してデータを転送した後に前記記憶システムに障害が発生した場合に、第１のコントローラは、前記第２のデータ線を介してコマンドを転送し、前記複数のデータ線のうちの第１のデータ線を介してデータを転送し、
前記コマンドは、前記障害部位を特定するために使用され、
前記ホストコンピュータは、ライトコマンドを前記第１のコントローラに送信し、かつ、前記障害の発生から前記障害部位の取得までの間に、前記ライトコマンドに応じた処理の完了の確認を受信する
ことを特徴とする記憶システム。
【請求項２２】
記憶システムであって、
ホストコンピュータに接続され、該ホストコンピュータから送信されるデータを複数の記憶領域に転送するように制御するコントローラと、
前記コントローラに接続され、前記コントローラから前記記憶領域にデータを転送するために使用される複数のデータ線と、
前記複数のデータ線に接続され、前記記憶領域を有する複数のディスクドライブユニットと
を備え、
前記複数のデータ線のうちの第２のデータ線を介してデータが転送された後に前記記憶システムに障害が発生した場合に、データは前記コントローラによって前記複数のデータ線のうちの第１のデータ線を介して転送され、コマンドは前記コントローラによって前記第２のデータ線を介して転送され、
前記コマンドは、前記障害部位を特定するために使用され、
前記ホストコンピュータは、前記コントローラにライトコマンドを送信し、かつ、前記障害の発生から前記障害部位の特定までの間に、前記コマンドのライト完了の確認を受信する
ことを特徴とする記憶システム。
【請求項２３】
記憶システムであって、
ホストコンピュータに接続され、該ホストコンピュータから送信されたデータを複数の記憶領域に転送するように制御する１つ以上のコントローラと、
前記コントローラに接続され、前記コントローラから前記記憶領域にデータを転送するために使用される複数のデータ線と、
前記複数のデータ線に接続され、前記記憶領域を有する複数のディスクドライブユニットと
を備え、
前記記憶システムは、
前記コントローラのうちの第１のコントローラに接続された前記複数のデータ線のうちの第１のデータ線を介してデータを転送するステップと、
前記第１のデータ線を介してデータを転送した後に、前記第１のデータ線と、前記ディスクドライブのうちの１つとの間に障害が発生するステップと、
前記障害の発生後に、前記第１のコントローラによって、前記第１のデータ線を介して、前記障害部位を特定するために使用されるコマンドを転送し、かつ、前記第１のコントローラにより、前記複数のデータ線のうちの第２のデータ線を介してデータを転送するステップと、
前記ホストコンピュータから前記第１のコントローラへのライトコマンドを受信し、かつ、前記障害の発生から前記障害部位の特定までの間に、前記ライトコマンドの完了の確認を送信するステップと
を有する処理を実行する
ことを特徴とする記憶システム。
【手続補正３】
【補正対象書類名】明細書
【補正対象項目名】００１２
【補正方法】変更
【補正の内容】
【００１２】
【課題を解決するための手段】
上記目的を達成するために、本発明は、記憶システムであって、ホストコンピュータに接続され、該ホストコンピュータから送信されたデータを複数の記憶領域に転送するように制御する第１のコントローラと、前記第１のコントローラに接続され、前記第１のコントローラから前記記憶領域にデータを転送するために使用される複数のデータ線と、前記複数のデータ線に接続され、かつ前記記憶領域を有する複数のディスクドライブユニットとを備え、前記第１コントローラは、前記データ線のうちの第２のデータ線を介してコマンドを転送した後に前記データシステムに障害が生じた場合に、前記データ線のうちの第１のデータ線を介してデータを転送すると共に、該第２のデータ線を介してコマンドを転送し、前記コマンドは、前記障害部位を検出するために使用されることを特徴とする。
また本発明は、記憶システムであって、ホストコンピュータに接続され、該ホストコンピュータから送信されたデータを複数の記憶領域に転送するように制御する第１のコントローラと、前記第１のコントローラに接続され、前記第１のコントローラから前記記憶領域にデータを転送するために使用される複数のデータ線と、前記複数のデータ線に接続され、かつ前記記憶領域を有する複数のディスクドライブユニットとを備え、前記第１コントローラは、前記データ線のうちの第２のデータ線を介してデータを転送した後に前記データシステムに障害が生じた場合に、前記データ線のうちの第１のデータ線を介してデータを転送すると共に、該第２のデータ線を介してコマンドを転送し、前記コマンドは、前記障害部位を特定するために使用され、前記ホストコンピュータは、ライトコマンドを前記第１のコントローラに送信し、かつ、前記障害の発生から前記障害部位を特定するまでの間に、前記ライトコマンドに応じた処理の完了の確認を受信することができることを特徴とする。
【手続補正４】
【補正対象書類名】明細書
【補正対象項目名】００１３
【補正方法】変更
【補正の内容】
【００１３】
さらに本発明は、記憶システムであって、ホストコンピュータに接続され、該ホストコンピュータから送信されたデータを複数の記憶領域に転送するように制御する１つ以上のコントローラと、前記コントローラに接続され、前記コントローラから前記記憶領域にデータを転送するために使用される複数のデータ線と、前記複数のデータ線に接続され、前記記憶領域を有する複数のディスクドライブユニットと、前記コントローラに接続され、前記記憶システムに関連する情報を表示する表示部とを備え、前記複数のデータ線のうちの第２のデータ線を介してデータを転送した後に前記記憶システムに障害が生じた場合に、前記コントローラのうちの第１のコントローラは、前記第２のデータ線を介してコマンドを転送し、前記複数のデータ線のうちの第１のデータ線を介してデータを転送し、前記コマンドは、前記第２のデータ線上を移動し、前記表示部は、前記障害部位を表示し、前記ホストコンピュータは、前記第１のコントローラにライトコマンドを送信し、前記障害の発生から前記障害部位の表示までの間に、前記ライトコマンドに応じた処理の確認を受信することを特徴とする。
さらに本発明は、記憶システムであって、ホストコンピュータに接続され、該ホストコンピュータから送信されたデータを複数の記憶領域に転送するように制御する第１のコントローラと、前記第１のコントローラに接続され、前記第１のコントローラから前記記憶領域にデータを転送するために使用される複数のデータ線と、前記複数のデータ線に接続され、前記記憶領域を有する複数のディスクドライブユニットと、前記第１のコントローラに接続され、前記記憶システムに関連する情報を表示する表示部とを備え、前記複数のデータ線のうちの第２のデータ線を介してデータを転送した後に前記記憶システムに障害が発生した場合に、前記第１のコントローラは、前記第２のデータ線を介してコマンドを転送し、前記コマンドは、前記第２のデータ線を初期化するために使用され、前記表示部は、前記障害部位を表示し、前記ホストコンピュータは、前記第１のコントローラにライトコマンドを送信し、かつ、前記障害の発生から前記障害部位の表示までの間に、前記ライトコマンドに応じた処理の完了の確認を受信することを特徴とする。
さらに本発明は、記憶システムであって、ホストコンピュータに接続され、該ホストコンピュータから送信されたデータを複数の記憶領域に転送するように制御する複数のコントローラと、前記コントローラに接続され、データを前記コントローラから前記記憶領域に転送するために使用される複数のデータ線と、前記複数のデータ線に接続され、前記記憶領域を有する複数のディスクドライブユニットとを備え、前記複数のデータ線のうちの第２のデータ線を介してデータを転送した後に前記記憶システムに障害が発生した場合に、第１のコントローラは、前記第２のデータ線を介してコマンドを転送し、前記複数のデータ線のうちの第１のデータ線を介してデータを転送し、  前記コマンドは、前記障害部位を特定するために使用され、前記ホストコンピュータは、ライトコマンドを前記第１のコントローラに送信し、かつ、前記障害の発生から前記障害部位の取得までの間に、前記ライトコマンドに応じた処理の完了の確認を受信することを特徴とする。
さらに本発明は、記憶システムであって、ホストコンピュータに接続され、該ホストコンピュータから送信されるデータを複数の記憶領域に転送するように制御するコントローラと、前記コントローラに接続され、前記コントローラから前記記憶領域にデータを転送するために使用される複数のデータ線と、前記複数のデータ線に接続され、前記記憶領域を有する複数のディスクドライブユニットとを備え、前記複数のデータ線のうちの第２のデータ線を介してデータが転送された後に前記記憶システムに障害が発生した場合に、データは前記コントローラによって前記複数のデータ線のうちの第１のデータ線を介して転送され、コマンドは前記コントローラによって前記第２のデータ線を介して転送され、前記コマンドは、前記障害部位を特定するために使用され、前記ホストコンピュータは、前記コントローラにライトコマンドを送信し、かつ、前記障害の発生から前記障害部位の特定までの間に、前記コマンドのライト完了の確認を受信することを特徴とする。
さらに本発明は、記憶システムであって、ホストコンピュータに接続され、該ホストコンピュータから送信されたデータを複数の記憶領域に転送するように制御する１つ以上のコントローラと、前記コントローラに接続され、前記コントローラから前記記憶領域にデータを転送するために使用される複数のデータ線と、前記複数のデータ線に接続され、前記記憶領域を有する複数のディスクドライブユニットとを備え、前記記憶システムは、前記コントローラのうちの第１のコントローラに接続された前記複数のデータ線のうちの第１のデータ線を介してデータを転送するステップと、前記第１のデータ線を介してデータを転送した後に、前記第１のデータ線と、前記ディスクドライブのうちの１つとの間に障害が発生するステップと、前記障害の発生後に、前記第１のコントローラによって、前記第１のデータ線を介して、前記障害部位を特定するために使用されるコマンドを転送し、かつ、前記第１のコントローラにより、前記複数のデータ線のうちの第２のデータ線を介してデータを転送するステップと、前記ホストコンピュータから前記第１のコントローラへのライトコマンドを受信し、かつ、前記障害の発生から前記障害部位の特定までの間に、前記ライトコマンドの完了の確認を送信するステップとを有する処理を実行することを特徴とする。
【手続補正５】
【補正対象書類名】明細書
【補正対象項目名】００９４
【補正方法】削除
【補正の内容】
【手続補正６】
【補正対象書類名】明細書
【補正対象項目名】００９５
【補正方法】削除
【補正の内容】
【手続補正７】
【補正対象書類名】明細書
【補正対象項目名】００９６
【補正方法】削除
【補正の内容】